(57)【要約】【課題】  左右方向に長い引出し体を左右のバランスを取りながら前後に移動できる。【解決手段】  格納ボックス１に対して引出し体２を駆動ブロック３を介して前後方向に移動自在に取付ける。駆動ブロック３を、引出し体２の左右方向の中間部に取付ける移動側基材４と、格納ボックス１の収納部５の左右方向の中間部に取付ける固定側基材６と、移動側基材４又は固定側基材６のいずれか一方の左右両側部に設けられたガイドレール７と、いずれか他方の左右両側部に設けられた上記ガイドレール７に対して走行自在となった水平輪８と、水平輪８をそれぞれ左右のガイドレール７の側壁９に押接させる押圧手段１０と、固定側基材６に設けた駆動手段１１と、移動側基材４の左右方向の中間部分に設けた駆動手段１１の駆動力が伝達される移動側基材４側の伝達部１２とで構成する。【選択図】        図１
2006218099.tif 000002
【特許請求の範囲】
【請求項１】
格納ボックスに対して引出し体を駆動ブロックを介して前後方向に引出し・収納自在に取付けたものであって、
上記駆動ブロックが、引出し体の左右方向の中間部に取付けられる移動側基材と、格納ボックスの上記引出し体を引出し自在に収納する収納部の左右方向の中間部に取付けられる固定側基材と、移動側基材又は固定側基材のいずれか一方の左右両側部に設けられた引出し体の引出し方向と平行な方向に長くなったガイドレールと、いずれか他方の左右両側部に設けられた上記ガイドレールに対して走行自在となった水平輪と、左右のガイドレールに走行自在になった水平輪をそれぞれ左右のガイドレールの側壁に押接させるための押圧手段と、固定側基材に設けた駆動手段と、移動側基材の左右方向の中間部分に設けた上記駆動手段の駆動力が伝達される移動側基材に設けた伝達部とを具備して成ることを特徴とする格納ボックスにおける引出し体の駆動支持構造。
【請求項２】
固定側基材に設けた駆動手段の駆動を駆動伝達手段を介して移動側基材に設けた伝達部に伝達し、上記駆動伝達手段を、駆動手段を構成するモータにより回転される第１、第２ドラムと、固定側基材に設けたプーリと、一端部を第１ドラムに固定して巻かれると共に上記プーリに巻き回して他端部を上記伝達部に固定した第１ベルトと、一端部を第２ドラムに固定して巻かれると共に他端を移動側基材に設けた伝達部に固定した第２ベルトとで構成し、上記第１ドラムへの第１ベルトの巻かれる方向と第２ドラムへの第２ベルトの巻かれる方向を逆方向とし、モータの正回転で第１ベルトが第１ドラムに巻き取られることで伝達部が引かれると共に第２ベルトが第２ドラムから引出され、モータの逆回転で第２ベルトが第２ドラムに巻き取られることで伝達部が逆方向に引かれると共に第１ベルトが第１ドラムから引出されるように構成して成ることを特徴とする請求項１記載の格納ボックスにおける引出し体の駆動支持構造。
【請求項３】
第１ベルトにより伝達部を引っ張る状態で第２ベルトに弛みが生じ且つ、第２ベルトにより伝達部を引っ張る状態で第１ベルトに弛みが生じるように構成して成ることを特徴とする請求項２記載の格納ボックスにおける引出し体の駆動支持構造。
【請求項４】
引出し体の引出し位置、収納位置を検出するための検出手段を設け、該検出手段を、駆動手段の駆動を停止するための格納ボックス側に設けたリミットスイッチと、リミットスイッチを作動するための引出し体に設けた作動部とで構成し、作動部の引出し体の移動方向における取付け位置を調整自在として成ることを特徴とする請求項１乃至請求項３のいずれかに記載の格納ボックスにおける引出し体の駆動支持構造。
【請求項５】
引出し体を本体部と本体部の前板の前面側に取付ける扉板とで構成し、前板の上端部に上方及び前後に開口したＵ字状をしたＵ状溝部を形成すると共に下部に縦長孔を形成し、扉板の背面上部に螺着した仮止め兼用固定ねじをＵ状溝部に上方から差し込み固定すると共に縦長孔に挿入した固定ねじを扉板に螺着して成ることを特徴とする請求項１乃至請求項４のいずれかに記載の格納ボックスにおける引出し体の駆動支持構造。
【請求項６】
引出し体の左右両側の前後にそれぞれ前ローラと後ローラとを回転自在に設け、収納部の左右両側部に上記左右の前ローラと後ローラとがそれぞれ走行自在となった断面略コ字状をした水平なレール部材を取付け、前ローラの引出し体への取付け位置を後ローラの引出し体への取付け位置よりも下位置とし、レール部材の下横片と上横片との間の間隔を上記前ローラ、後ローラの径よりも大きく設定し、引出し体の前方への引出し状態で前ローラが略コ字状をしたレール部材の下横片の上面に押接すると共に後ローラが略コ字状をしたレール部材の上横片の下面に押接するように構成してあることを特徴とする請求項１乃至請求項５のいずれかに記載の格納ボックスにおける引出し体の駆動支持構造。
【発明の詳細な説明】
【技術分野】
【０００１】
本発明は、格納ボックスに左右方向に長い引出し体を引出し・収納自在に取付けるに当たって、格納ボックスに対して引出し体を引出し・収納方向に駆動手段で移動するための技術に関するものである。
【背景技術】
【０００２】
従来から家具の上部に左右方向に長いスクリーンを収納する左右方向に長い格納ボックスを取付け、該格納ボックスの前部を家具の上部の前面よりも前方に突出させ、通常はスクリーンを巻き取って格納ボックス内に収納し、家庭シアターとしてプロジェクターを利用する場合には、スクリーンを引き下ろしてプロジェクターによりスクリーンに投影して家庭シアターとして楽しむことができるようにしたものが特許文献１により知られている。
【０００３】
ところが、この従来例にあっては、スクリーンを巻き取って収納するための格納ボックスの前部が常に家具の上部の前面よりも前方に突出すると共に、格納ボックスの下方開口から内部に収納したスクリーンが見えるため、外観が悪いという問題がある。
【０００４】
そこで、本発明の発明者は、本発明に至る過程で、家具のような格納ボックスに対して左右方向に長い引出し体を引出し・収納自在とし、この引出し体にスクリーンを収納し、引出し体を引き出した状態でスクリーンを下方に引き出し、スクリーンを巻き取って引出し体に収納した状態では引出し体を後退させて格納ボックスの収納部に収納することで、引出し体の非使用時（つまり、スクリーンの非使用時）に引出し体が前方に突出しないようにして外観を良くするようにすることを考えた。
【０００５】
具体的には、左右方向に長い引出し体の引出し・収納の動作をさせるために、左右方向の両端部をそれぞれ別々の駆動手段で駆動させることで、引出し方向に移動させたり、収納方向に移動させたりすることを考えた。
【０００６】
ところが、このものにおいては、駆動手段を左右にそれぞれ設けるものにおいては全体が大型化し、コストが高くなり、また、左右方向に長い引出し体は、通常の引出しと異なり、引出し動作時、収納動作時に左右方向に長い引き出し体の左右のバランスが崩れると、スムーズな引出し動作、収納動作ができないので、左右方向に長い引き出し体の左右のバランスがくずれないように調整するのが難しいという問題があることが判明した。更に、左右に駆動手段を設けるため、組み立て性、メンテナンス性が悪く、また、引出し体の左右両端部に直接駆動手段の駆動力を伝達するようにしているので、引出し体を格納ボックスの収納部に引出し自在に組み込む際に同時に駆動伝達機構の組み立ても行わねばならず、組み立てがきわめて面倒であることが判った。更に、引出し体の左右方向の長さの異なるものに簡単に対応することも困難であった。
【特許文献１】実開平７−２０８７６号公報
【発明の開示】
【発明が解決しようとする課題】
【０００７】
上記のような背景のもと、簡単な構成で左右方向に長い引出し体を左右のバランスを取りながら引出し・収納動作ができ、しかも、駆動手段が一つで良くて小型化、低コスト化が図れ、更に、組み立て、メンテナンスが容易で、また、引出し体の左右方向の長さの異なるものに簡単に対応することができる格納ボックスにおける引出し体の駆動支持構造の開発が望まれているのが現状であり、本発明はこの点を解決した格納ボックスにおける引出し体の駆動支持構造を提供することを課題とするものである。
【課題を解決するための手段】
【０００８】
上記課題を解決するために本発明に係る格納ボックスにおける引出し体の駆動支持構造は、格納ボックス１に対して引出し体２を駆動ブロック３を介して前後方向に引出し・収納自在に取付けたものであって、上記駆動ブロック３が、引出し体２の左右方向の中間部に取付けられる移動側基材４と、格納ボックス１の上記引出し体２を引出し自在に収納する収納部５の左右方向の中間部に取付けられる固定側基材６と、移動側基材４又は固定側基材６のいずれか一方の左右両側部に設けられた引出し体２の引出し方向と平行な方向に長くなったガイドレール７と、いずれか他方の左右両側部に設けられた上記ガイドレール７に対して走行自在となった水平輪８と、左右のガイドレール７に走行自在になった水平輪８をそれぞれ左右のガイドレール７の側壁９に押接させるための押圧手段１０と、固定側基材６に設けた駆動手段１１と、移動側基材４の左右方向の中間部分に設けた上記駆動手段１１の駆動力が伝達される移動側基材４に設けた伝達部１２とを具備して成ることを特徴とするものである。
【０００９】
このような構成とすることで、左右方向が長い引出し体２であっても、左右方向の中間部に介在させる駆動ブロック３を介して格納ボックス１に対して前方に移動させて引出したり、後方向に移動させて収納させたりすることができ、駆動ブロック３が一つでよくて構造が簡単で小型化が図れると共にコストダウンが図れ、しかも、左右方向の中間部に介在させた一つの駆動ブロック３に設けた一つの駆動手段１１で引出し体２を引出したり収納したりする移動動作を行わせるようにしたものであるにもかかわらず、左右のガイドレール７の側壁９にそれぞれ水平輪８を押圧手段１０により押圧するように構成しているので、引出し体２の左右方向におけるがたつきを防止し、これにより左右方向に長い引出し体２の左右のバランスをとりながら左右方向に長い引出し体２を前後方向にスムーズに移動することができるものであり、更に、駆動ブロック３の固定側基材６を格納ボックス１の収納部５の左右方向の中間部分において格納ボックス１に取付け、駆動ブロック３の移動側基材４を引出し体２の左右方向の中間部に取付けるだけで、簡単に組み立てができ、また、左右方向の中間部の一箇所に駆動ブロック３が設けてあるので、メンテナンスも一箇所で良くて容易であり、また、引出し体２、収納部５の左右方向の中間部に駆動ブロック３を介在させるように取付けるだけでよいので、引出し体２、収納部５の左右方向の長さが異なっても、同一種類の駆動ブロック３で対応できるものである。
【００１０】
また、固定側基材６に設けた駆動手段１１の駆動を駆動伝達手段１３を介して移動側基材４に設けた伝達部１２に伝達し、上記駆動伝達手段１３を、駆動手段１１を構成するモータ１４により回転される第１、第２ドラム１５ａ、１５ｂと、固定側基材６に設けたプーリ１６と、一端部を第１ドラム１５ａに固定して巻かれると共に上記プーリ１６に巻き回して他端部を上記伝達部１２に固定した第１ベルト１７ａと、一端部を第２ドラム１５ｂに固定して巻かれると共に他端を移動側基材４に設けた伝達部１２に固定した第２ベルト１７ｂとで構成し、上記第１ドラム１５ａへの第１ベルト１７ａの巻かれる方向と第２ドラム１５ｂへの第２ベルト１７ｂの巻かれる方向を逆方向とし、モータ１４の正回転で第１ベルト１７ａが第１ドラム１５ａに巻き取られることで伝達部１２が引かれると共に第２ベルト１７ｂが第２ドラム１５ｂから引出され、モータ１４の逆回転で第２ベルト１７ｂが第２ドラム１５ｂに巻き取られることで伝達部１２が逆方向に引かれると共に第１ベルト１７ａが第１ドラム１５ａから引出されるように構成することが好ましい。
【００１１】
このような構成とすることで、モータ１４を正回転させたり、逆回転させたりするだけで、ねじ送り機構やラックピニオン機構などに比べて簡単な構成で固定側基材６に対して移動側基材４を前後方向に移動して引出し体２を引出し方向に移動したり、収納方向に移動したりすることができる。
【００１２】
また、第１ベルト１７ａにより伝達部１２を引っ張る状態で第２ベルト１７ｂに弛みが生じ且つ、第２ベルト１７ｂにより伝達部１２を引っ張る状態で第１ベルト１７ａに弛みが生じるように構成してあることが好ましい。
【００１３】
このような構成とすることで、モータ１４を正回転あるいは逆回転する際の起動トルクに余裕を持たせることができる。
【００１４】
また、引出し体２の引出し位置、収納位置を検出するための検出手段１８を設け、該検出手段１８を、駆動手段１１の駆動を停止するための格納ボックス１側に設けたリミットスイッチ１９と、リミットスイッチ１９を作動するための引出し体２側に設けた作動部２０とで構成し、作動部２０の引出し体２の移動方向における取付け位置を調整自在とすることが好ましい。
【００１５】
このような構成とすることで、作動部２０の前後方向における取付け位置を調整することで、引出し体２の引出し長さ、引出し体２の収納部５への収納深さを簡単に調整でき、これにより、簡単に最適の引出し長さにできると共に、最適の収納深さ（例えば引出し体２の前面と格納ボックス１の前面とが面一となるような収納深さ）にすることができる。
【００１６】
また、引出し体２を本体部２１と本体部２１の前板２２の前面側に取付ける扉板２３とで構成し、前板２２の上端部に上方及び前後に開口したＵ字状をしたＵ状溝部２４を形成すると共に下部に縦長孔２５を形成し、扉板２３の背面上部に螺着した仮止め兼用固定ねじ２６をＵ状溝部２４に上方から差し込み固定すると共に縦長孔２５に挿入した固定ねじ２７を扉板２３に螺着することが好ましい。
【００１７】
このような構成とすることで、本体部２１の前板２２に扉板２３を取付けるに当たり、扉板２３の上部にあらかじめ仮止め兼用固定ねじ２６を仮取付けした状態で、扉板２３の背面上部に螺着した仮止め兼用固定ねじ２６をＵ状溝部２４に上方から差し込んで支持し、この状態で、前板２２に対する扉板２３の上下方向の位置調整を行って、縦長孔２５から固定ねじ２７を挿入して扉板２３に螺着することで本固定するという取付けが可能となり、引出し体２を閉じた際に左右方向に長い扉板２３で収納部５の前開口にぴったり閉じることができるように取付ける作業が簡単に行える。
【００１８】
また、引出し体２の左右両側の前後にそれぞれ前ローラ２８と後ローラ２９とを回転自在に設け、収納部５の左右両側部に上記左右の前ローラ２８と後ローラ２９とがそれぞれ走行自在となった断面略コ字状をした水平なレール部材３０を取付け、前ローラ２８の引出し体２への取付け位置を後ローラ２９の引出し体２への取付け位置よりも下位置とし、レール部材３０の下横片３１と上横片３２との間の間隔を上記前ローラ２８、後ローラ２９の径よりも大きく設定し、引出し体２の前方への引出し状態で前ローラ２８が略コ字状をしたレール部材３０の下横片３１の上面に押接すると共に後ローラ２９が略コ字状をしたレール部材３０の上横片３２の下面に押接するように構成することが好ましい。
【００１９】
レール部材３０の下横片３１と上横片３２との間の間隔を前ローラ２８、後ローラ２９の径と等しくすると、前ローラ２８、後ローラ２９の上下面が上横片３２の下面と下横片３１の上面との２面に当接することになって引出し体２の前後方向の移動のスムーズ性が悪くなったり、各部品の寸法ばらつきにより前ローラ２８や後ローラ２９がレール部材３０内に入らないことや、水平が保たれないことがあるが、上記のようにレール部材３０の下横片３１と上横片３２との間の間隔を上記前ローラ２８、後ローラ２９の径よりも大きく設定し、引出し体２の前方への引出し状態で前ローラ２８が略コ字状をしたレール部材３０の下横片３１の上面に押接すると共に後ローラ２９が略コ字状をしたレール部材３０の上横片３２の下面に押接するように構成することで引出し体２の前後方向の移動がスムーズに行え、各部品にばらつきがあっても前ローラ２８や後ローラ２９をレール部材３０内に入れることができ、また、前ローラ２８の引出し体２への取付け位置を後ローラ２９の引出し体２への取付け位置よりも下位置とし、引出し体２の前方への引出し状態で前ローラ２８が略コ字状をしたレール部材３０の下横片３１の上面に押接すると共に後ローラ２９が略コ字状をしたレール部材３０の上横片３２の下面に押接することで、引出し体２を引出した際の水平を保つことが可能となる。
【発明の効果】
【００２０】
本発明は、左右方向に長い引出し体であっても簡単な構成で左右のバランスを取りながら引出し・収納動作ができ、しかも、左右方向の中間部に駆動ブロックを一つ介在させるだけでよいので小型化、低コスト化が図れ、更に、左右方向の中間部の駆動ブロックを介在させるだけでよいので、組み立て性が向上し、メンテナンスも一箇所でよくて容易にメンテナンスでき、また、引出し体の左右方向の長さの異なるものに簡単に対応することができる。
【発明を実施するための最良の形態】
【００２１】
以下、本発明を添付図面に示す実施形態に基いて説明する。
【００２２】
図添付図面に示す実施形態では、図１３に示すように、家具３３の上部に格納ボックス１を設けた例が示してある。この家具３３は部屋の壁に沿って配設されたり、あるいは壁面に埋設して配設されたりするもので、複数の収納部３４を有し、複数の収納部３４は前面開口部に開閉自在な扉６０を設けたり、あるいは収納部３４の前面開口部を開口させたままの状態としてある。添付図面に示す実施形態では家具３３の中央部にはテレビを収納するための前面開口部が開口したテレビ収納部３４ａが設けてある。このテレビ収納部３４ａより上方の家具３３の上部に格納ボックス１が設けてある。
【００２３】
格納ボックス１は左右方向に細長くなったもので、テレビ収納部３４ａの左右方向の長さよりも長くなっている。
【００２４】
図１３に示す実施形態では家具３３は複数のキャビネット３５を組み合わせて構成した例を示しており、該組み合わせる複数のキャビネット３５の一つが格納ボックス１となっている。
【００２５】
格納ボックス１がキャビネット３５により構成してある場合、格納ボックス１は図１、図２に示すように、前面から見た際に門型形状をしており、下部に少なくとも前面が開口した左右方向に長い収納部５となる空所が設けてある。この格納ボックス１における収納部５の両側の側板部４０には断面略コ字状をした前後方向に長いレール部材３０が水平に取付けてある。
【００２６】
引出し体２は本体部２１と本体部２１の前板２２の前面側に取付ける扉板２３とで構成してある。本体部２１は、図７に示すように左右方向に長くなったもので、垂直な前板２２の後面の略中央部から後方に向けて横板３６を突設すると共に横板３６の後端から下方に垂直に後板３７を突設し、前板２２の下部と横板３６と後板３７とで下方に開口するスクリーン収納凹部５５が形成してある。更に、横板３６の左右方向の両端部に前後方向に長いブラケット部３８を設け、ブラケット部３８の後部を横板３６よりも後方に突出させ、このブラケット部３８の後方への突出部分の外側面の前部と後部とにそれぞれ前ローラ２８と後ローラ２９とを回転自在に取付けることで構成してある。
【００２７】
横板３６の左右方向の中間部分には固定孔３９が設けてあり、前板２２の上端部の左右方向の複数箇所に上方及び前後に開口したＵ字状をしたＵ状溝部２４を形成すると共に下部の左右方向の複数箇所に縦長孔２５を形成してある。
【００２８】
上記引出し体２は左右両側に設けた前ローラ２８と後ローラ２９を、格納ボックス１の収納部５の左右両側に設けたレール部材３０に転動自在に嵌め込むことで引出し体２を格納ボックス１の前方に引出したり、あるいは後方に押し込んで収納部５内に収納したりすることができるようになっている。ここで、図２に示すように、レール部材３０の下横片３１と上横片３２との間の間隔を上記前ローラ２８、後ローラ２９の径よりも大きく設定してあって、後ローラ２９、前ローラ２８をレール部材３０に入れる際にスムーズに入れることができ、また、前ローラ２８の引出し体２への取付け位置が後ローラ２９の引出し体２への取付け位置を下位置となっていて、引出し体２の前方への引出し状態で前ローラ２８が略コ字状をしたレール部材３０の下横片３１の上面に押接すると共に後ローラ２９が略コ字状をしたレール部材３０の上横片３２の下面に押接するように構成してあって、この状態で引出し体２の前後方向の位置にかかわらず引出し体２を常に水平状態が保持されるようになっている。
【００２９】
引出し体２のスクリーン収納凹部５５内には図２、図３に示すようにスクリーン５１を巻き取るためのスクリーン巻取り軸（図示せず）と、スクリーン巻き取り軸を回転駆動するためのスクリーン駆動用モータ（図示せず）が内装してある。
【００３０】
ここで、本発明においては、図１に示すように格納ボックス１と引出し体２との間に駆動ブロック３を介在させることで駆動ブロック３に設けた後述の駆動手段１１により引出し体２を前後方向に移動できるようにしている。
【００３１】
駆動ブロック３は図８、図９に示すように、移動側基材４と、固定側基材６と、移動側基材４又は固定側基材６のいずれか一方の左右両側部に設けられた引出し体２の引出し方向と平行な方向に長くなったガイドレール７と、いずれか他方の左右両側部に設けられた上記ガイドレール７に対して走行自在となった水平輪８と、左右のガイドレール７に走行自在になった水平輪８をそれぞれ左右のガイドレール７の側壁９に押接させるための押圧手段１０と、固定側基材６に設けた駆動手段１１と、移動側基材４の左右方向の中間部分に設けた上記駆動手段１１の駆動力が伝達される移動側基材４に設けた伝達部１２とで構成してある。
【００３２】
以下駆動ブロック３につき図９乃至図１２に基づいて更に詳細に説明する。
【００３３】
固定側基材６は平板状をしている。この板状をした固定側基材６の下面の左右両側部に前後方向にわたって断面逆Ｕ字状をしたガイドレール７が設けてあり、ガイドレール７の長手方向の端部にはストッパ４１が設けてある。
【００３４】
固定側基材６の下面の後部の左右方向の中間部には駆動手段固定台４２が取付けてあり、該駆動手段固定台４２に駆動手段１１を構成するモータ１４と、モータ１４の出力軸１４ａと、回転軸５９とが取付けてあり、該モータ１４の出力軸１４ａに第２ドラム１５ｂと第１ドラム１５ａとを並設して固着してある。また、固定側基材６の下面の前部の左右方向の中間部にはプーリ１６を回転自在に取付けたプーリ取付け金具１６ａが取付けてある。プーリ１６は第１ドラム１５ａと前後に対向する位置に設けてある。また、固定側基材６の下面には、リミットスイッチ１９が設けてあり、このリミットスイッチ１９としては開検知リミットスイッチ１９ａと閉検知リミットスイッチ１９ｂとの２つが設けてある。更に制御部４３が取付けてある。
【００３５】
移動側基材４は、平面視コ字状をした板材により構成してあり、上面部の側端部には下方に向けて垂下片４６が突設してあり、図９、図１１に示すように移動側基材４の上面の一側端部に断面Ｌ字状をしたローラ支持金具４７が左右方向にスライド自在に重ねてある。移動側基材４の一側端部には左右方向に長い横長孔４８が設けてあり、取付け具４９を横長孔４８に挿通して先端部をローラ支持金具４７の横片４７ｂの孔６２に挿入して取付けてあり、また、垂下片４６とローラ支持金具４７の垂片４７ａとは対向しており、垂片４７ａを移動自在に挿通したねじ軸５６の先端部が垂下片４６に螺合してあり、ねじ軸５６の他端の頭部と垂片４７ａとの間に押圧手段１０を構成するコイルスプリングが介在してあり、コイルスプリングにより垂片４７ａを垂下片４６に近づく方向のばね力を付与している。ローラ支持金具４７の横片４７ｂの前部と後部からそれぞれ上方に向けて縦軸５０が突設してあり、該前後の縦軸５０にそれぞれ水平輪８が回転自在に取付けてある。また、移動側基材４の他側端部の上面の前後にはそれぞれ上方に向けて縦軸５０が突設してあり、該前後の縦軸５０にそれぞれ水平輪８が回転自在に取付けてある。
【００３６】
また、移動側基材４の上面部の左右方向の中間部にはコ字状をした固定金具４４が設けてあり、この固定金具４４の両縦片４４ａ間に伝達部１２となる軸が架設してある。また、コ字状をした固定金具４４の両縦片４４ａにはリミットスイッチ１９を作動するための作動部２０が取付けてあり、作動部２０としては固定金具４４の一方の縦片４４ａに取付ける開検知用作動部２０ａと、固定金具４４の他方の縦片４４ａに取付ける閉検知用作動部２０ｂとがある。ここで、作動部２０と縦片４４ａとをボルト・ナット又はねじ具で連結する際、図１２に示すように、作動部２０と縦片４４ａの少なくとも一方に上記ボルト又はねじ具が挿通される前後に長い長孔４５を設け、ナットあるいはねじ具による締結を緩めた状態で作動部２０を縦片４４ａに対して前後方向に移動して取付け位置の調整ができるようになっている。位置調整後はナットあるいはねじ具を締め付けることで本固定する。
【００３７】
上記の構成の移動側基材４は図８、図９に示すように、固定側基材６の下面側に配置され、両側の水平輪８をガイドレール７に移動自在に嵌め込んである。この状態で押圧手段１０の弾性力により移動側基材４の左右両側部の前後にそれぞれ設けた水平輪８がいずれもガイドレール７の内側の側壁９に押付けられ、水平輪８が左右にがたつくことなく前後方向にスムーズに移動できるようになっている。
【００３８】
ここで、上記ローラ支持金具４７を移動側基材４に取付けるための取付け具４９をねじで構成すると共にローラ支持金具４７の横片４７ｂの孔６２をねじ孔により構成してもよい。この場合、取付け具４９を構成するねじを移動側基材４の横長孔４８からローラ支持金具４７の横片４７ｂのねじ孔に螺入し、ねじを少し緩めた状態としておくことで両側の水平輪８をガイドレール７に移動自在に嵌め込むと、前述と同様に押圧手段１０の弾性力により移動側基材４の左右両側部の前後の水平輪８がいずれもガイドレール７の内側の側壁９に押付けられて水平輪８が左右にがたつかないようにできる。このように押圧手段１０の押圧により水平輪８が左右にがたつかないようにした状態で、更に、上記取付け具４９を構成するねじを締付けて水平輪８がガイドレール７の内側の側壁９に押付けられた状態を保持するようにしてもよい。このようにすると、より確実に水平輪８が左右にがたつくことなく前後方向にスムーズに移動できる。
【００３９】
なお、添付図面に示す実施形態では押圧手段１０を移動側基材６の左右方向の一側端側にのみ設けた例を示したが、移動側基材６の左右方向の両端部にローラ支持金具４７を取付けて前述のようにして押圧手段１０を移動側基材６の左右方向の両端部に設けてもよい。
【００４０】
上記のように固定側基材６の下面側に移動側基材４を前後方向にスライド自在に取付けた状態で、固定側基材６に設けた駆動手段１１の駆動が駆動伝達手段１３を介して移動側基材４に設けた伝達部１２に伝達するように構成してある。すなわち、図１０に示すように、伝達部１２は第１ドラム１５ａ、第２ドラム１５ｂと、プーリ１６との間に位置するように配置され、固定側基材６の左右方向の中間部に設けた第１ドラム１５ａには第１ベルト１７ａの一端部が固定して一定長さ巻かれていると共に該第１ベルト１７ａはプーリ１６に巻き回して他端部を上記伝達部１２の左右方向の一方の片側半部に固定してある。また、第２ドラム１５ｂには第２ベルト１７ｂの一端部が固定して一定長さ巻かれていると共に該第２ベルト１７ｂを回転軸５９に掛けられて他端部が移動側基材４に設けた伝達部１２を構成する軸の左右方向の他方の片側半部に固着してある。また、上記第１ドラム１５ａへの第１ベルト１７ａの巻かれる方向と、第２ドラム１５ｂへの第２ベルト１７ｂの巻かれる方向とが逆方向となっている。例えば、駆動手段１１であるモータの正回転方向を第１ドラム１５ａへの第１ベルト１７ａの巻かれる方向とすると、第２ドラム１５ｂへの第２ベルト１７ｂの巻かれる方向はモータの逆回転方向となっている。したがって、駆動手段１１であるモータを正回転すると第１ベルト１７ａが第１ドラム１５ａに巻き取られて図の矢印イ方向に伝達部１２が引かれると共に第２ベルト１７ｂが第２ドラム１５ｂから引出され、これにより移動側基材４が固定側基材６に対して前方向に移動し、開検知リミットスイッチ１９ａが開検知用作動部２０ａにより作動させられることでモータが停止するようになっている。また、モータ１４の逆回転で第２ベルト１７ｂが第２ドラム１５ｂに巻き取られて伝達部１２が逆方向に引かれると共に第１ベルト１７ａが第１ドラム１５ａから引出され、これにより移動側基材４が固定側基材６に対して図１０の矢印ロ方向である後方向に移動し、閉検知リミットスイッチ１９ｂが閉検知用作動部２０ｂにより作動させられることでモータが停止するようになっている。
【００４１】
この場合、第１ドラム１５ａに一端を固定した第１ベルト１７ａの他端を伝達部１２に固定すると共に、第２ドラム１５ｂに一端を固定した第２ベルト１７ｂの他端を伝達部１２に固定するに当たって、第１ベルト１７ａ、第２ベルト１７ｂに僅かに弛みが生じるように固定してある。これにより、第１ベルト１７ａにより伝達部１２を引っ張る状態で第２ベルト１７ｂに弛みが生じ且つ、第２ベルト１７ｂにより伝達部１２を引っ張る状態で第１ベルト１７ａに弛みが生じるようになっており、第１ベルト１７ａにより伝達部１２を引っ張って移動側基材４を前方に移動させて停止した状態では第２ベルト１７ｂが少し弛んでいる。したがって、モータを逆回転して第２ドラム１５ｂに第２ベルト１７ｂを巻き取り始める初期の段階では第２ベルト１７ｂが少し撓んでいるためベルトが始めからピーンと張っている場合に比べモータの起動トルクに余裕ができて小さな起動トルクで第２ベルト１７ｂの巻き取りができることになる。一方、第２ベルト１７ｂにより伝達部１２を引っ張って移動側基材４を後方に移動させて停止した状態では第１ベルト１７ａが少し弛んでいる。したがって、モータを正回転して第１ドラム１５ａに第１ベルト１７ａを巻き取り始める初期の段階では第１ベルト１７ａが少し撓んでいるためベルトが始めからピーンと張っている場合に比べモータの起動トルクに余裕ができて小さな起動トルクで第１ベルト１７ａの巻き取りができることになる。ここで、第２ベルト１７ｂを掛けている回転軸５９を駆動手段固定台４２に架設して取付けるに当たり、取付け位置を調整自在としておくと、上記弛み量を簡単に調整することができる。
【００４２】
上記のような構成の駆動ブロック３は図６、図１４に示すように、固定側基材６を格納ボックス１の収納部５の左右方向の中間部の天面部に固着具により固着し、その後、図１に示すように、引出し体２の左右両側に設けた前ローラ２８と後ローラ２９を、格納ボックス１の収納部５の左右両側に設けたレール部材３０に転動自在に嵌め込むと共に格納ボックス１に対して引出し体２を前方に引出した状態とし、更に、移動側基材４を固定側基材６に対して前方に引出し、この状態で移動側基材４を引出し体２の左右方向の中間において横板３６に設けた固定孔３９にねじ具により固着することで、引出し体２の左右方向の中間部を駆動ブロック３を介して格納ボックス１に取付ける。
【００４３】
上記のように格納ボックス１に引出し体２を取付けた状態で格納ボックス１のレール部材３０の前開口をストッパ板（図示せず）により閉塞して前ローラ２８がレール部材３０から前方に抜けないようにする。
【００４４】
また、引出し体２の前板２２には扉板２３を取付けるのであるが、扉板２３の取付けに当たっては図３に示すように、扉板２３の上部にあらかじめ仮止め兼用固定ねじ２６を仮取付けした状態で、扉板２３の背面上部に螺着した仮止め兼用固定ねじ２６をＵ状溝部２４に上方から差し込んで支持し、この状態で、前板２２に対する扉板２３の上下方向の位置調整を行って、縦長孔２５から固定ねじ２７を挿入して扉板２３に螺着することで本固定する。これにより左右方向に長い引出し体２の前板２２に扉板２３を取付けるに当たり、引出し体２を収納部５に収納した状態で、扉板２３で収納部５の前開口をぴったりと閉じるように左右方向に長い扉板２３の取付け位置の調整ができる。
【００４５】
格納ボックス１にはリモコン受信部５２が設けてあり、図示を省略したリモコンを操作することで、制御部４３により駆動手段１１であるモータを正回転するように制御し、移動側基材４に固着した引出し体２を前方に引出し、開検知用作動部２０ａが開検知リミットスイッチ１９ａを作動させると駆動手段１１であるモータが停止し、次に、スクリーン駆動用モータが駆動してスクリーン５１が下降し、家具３３の前面に沿って垂れ下がり、図１３（ｂ）に示すように家具３３のテレビ収納部３４ａを覆い隠すようにして垂れ下がる。
【００４６】
この状態で図１３（ｃ）に示すように部屋に設置しているプロジェクタ５４からスクリーン５１に映像を投射して家庭シアターを楽しむことができる。
【００４７】
プロジェクタ５４を使用しない時にはリモコンを操作することで、制御部４３によりスクリーン駆動用モータが逆回転してスクリーン５１を巻き取りながら上昇させ、完全に巻き取った状態でスクリーン収納凹部５５内に収納する。次に、駆動手段１１であるモータが正回転して引出し体２が後方に移動し、閉検知用作動部２０ｂが閉検知リミットスイッチ１９ｂを作動させると駆動手段１１であるモータが停止し、引出し体２が収納部５内に収納され、図１３（ａ）に示すように、引出し体２の前面の扉板２３が格納ボックス１の他の部位の前面と面一となる。
【００４８】
上記のように左右方向に長い引出し体２を駆動手段１１により前後方向に移動するに当たり、引出し体２の左右方向の中間部に介在させた駆動ブロック３を介して格納ボックス１に対して前方に移動させて引出したり、後方向に移動させて収納させたりするので、駆動ブロック３としては一つでよい。このため、駆動ブロック３を複数設けるものに比べて構造が簡単で小型化が図れ、また、組み立てが簡単で、更に、メンテナンスも一箇所で良くて容易である。
【００４９】
しかも、左右のガイドレール７の側壁９にそれぞれ水平輪８を押圧手段１０により押圧するように構成しているので、引出し体２の左右方向におけるがたつきを防止し、これにより左右方向に長い引出し体２の左右のバランスをとりながら左右方向に長い引出し体２を前後方向にスムーズに移動することができる。
【００５０】
また、駆動ブロック３は引出し体２、収納部５の左右方向の中間部に介在させるように取付けるだけでよいので、スクリーン５１の左右方向の長さが異なると引出し体２の長さが種々異なるが、この引出し体２の長さが異なるものの場合も、左右方向の中間部分に駆動ブロック３を取付けるだけでよいので、同一種類の駆動ブロック３で対応できる。
【００５１】
なお、添付図面に示す実施形態においては左右方向に長い引出し体２として左右方向に長いスクリーン５１を巻き取って収納するための左右方向に長いスクリーン収納凹部５５を設けた例を示したが、スクリーン収納凹部５５を設けたものにのみ限定されず、他のものを収納する左右方向に長い収納部を設けたものであってもよいのは勿論である。この場合も、左右方向に長い引出し体２を左右のバランスを取ながら前後方向にスムーズに移動することができる。
【図面の簡単な説明】
【００５２】
【図１】本発明の引出し体を引出した状態の一部省略斜視図である。
【図２】同上の側面図である。
【図３】同上の扉板の取付けを説明する要部斜視図である。
【図４】同上の扉板を取付ける前の正面図である。
【図５】同上の図４のＡ部分の拡大断面図である。
【図６】同上の格納ボックスの左右方向の中間部分に駆動ブロックを取付けた状態の正面図である。
【図７】同上の引出し体の斜視図である。
【図８】同上に用いる駆動ブロックの下面図である。
【図９】同上の駆動ブロックの正面図である。
【図１０】（ａ）は同上の第２ドラム、第１ドラム、第２ベルト、第１ベルト、伝達部の関係を示す概略構成図であり、（ｂ）は同上の概略斜視図である。
【図１１】同上の押圧手段部分の正面図である。
【図１２】同上の作動部の前後方向の取付け位置を調整する例を示す説明図である。
【図１３】同上の引出し体を備えた格納ボックスを設けた家具を示し、（ａ）は引出し体を収納した状態の斜視図であり、（ｂ）は引出し体を引出した状態を示す斜視図であり、（ｃ）は同上のプロジェクタを使用している状態の説明図である。
【図１４】同上の家具に格納ボックスを組み込んで引出し体を取付けている状態を示す斜視図である。
【符号の説明】
【００５３】
１  格納ボックス
２  引出し体
３  駆動ブロック
４  移動側基材
５  収納部
６  固定側基材
７  ガイドレール
８  水平輪
９  側壁
１０  押圧手段
１１  駆動手段
１２  伝達部
１３  駆動伝達手段
１４  モータ
１５ａ  第１ドラム
１５ｂ  第２ドラム
１６  プーリ
１７ａ  第１ベルト
１７ｂ  第２ベルト
１８  検出手段
１９  リミットスイッチ
２０  作動部
２１  本体部
２２  前板
２３  扉板
２４  Ｕ状溝部
２５  縦長孔
２６  仮止め兼用固定ねじ
２７  固定ねじ
２８  前ローラ
２９  後ローラ
３０  レール部材
３１  下横片
３２  上横片
【図１】
2006218099.tif 000003
【図２】
2006218099.tif 000004
【図３】
2006218099.tif 000005
【図４】
2006218099.tif 000006
【図５】
2006218099.tif 000007
【図６】
2006218099.tif 000008
【図７】
2006218099.tif 000009
【図８】
2006218099.tif 000010
【図９】
2006218099.tif 000011
【図１０】
2006218099.tif 000012
【図１１】
2006218099.tif 000013
【図１２】
2006218099.tif 000014
【図１３】
2006218099.tif 000015
【図１４】
2006218099.tif 000016